(57)【要約】      （修正有）【課題】コーヒーメーカー及びそのシステムを提供する。【解決手段】ベース１０と、回転座２０と、サーバ６０と、給水ユニット３０と、センサー５０と、制御ユニットとを備える。回転座は、ベースに設置され、回転座の回転は駆動装置によって制御される。サーバの開口の上方にコーヒー粉３０１を入れるための漏斗状のフィルター６２が設置され、サーバは回転座上に設置されることができる。給水ユニットはベースに設置され、給水ユニットの給湯口３１は、予定経路に沿って移動することができるように、フィルターの上方に設置されることができる。センサーは、抽出コードを取得するためにベースに設置されることができる。制御ユニットはベースに設置され、且つ駆動装置、センサー、給水ユニットに電気的に接続され、制御ユニットが抽出コードに基づいて、駆動装置の回転、給水ユニットから熱水を給湯口へ提供、且つ給湯口を予定経路に沿って移動するように制御することができる。【選択図】図１
0003214593.tif 000002
【実用新案登録請求の範囲】
【請求項１】
ベースと、回転座と、サーバと、給水ユニットと、センサーと、制御ユニットとを備えるコーヒーメーカーであって、
前記回転座は前記ベースに設置され、前記回転座の回転は駆動装置で制御され、
前記サーバは、コーヒー粉を入れるための漏斗状のフィルターを設置するための開口を含み、前記サーバは前記回転座上に設置され、
前記給水ユニットは、前記ベースに設置され、前記フィルターの上方に設置されて予定経路に沿って移動する給湯口を含み、
前記センサーは、抽出コードを読み取るために前記ベースに設置され、
前記制御ユニットは、前記ベースに設置され、且つ前記駆動装置、前記センサー、前記給水ユニットに電気的に接続され、前記制御ユニットが前記抽出コードに基づいて、前記駆動装置の回転、前記給水ユニットからの熱水を前記給湯口へ提供、且つ前記給湯口を前記予定経路に沿って移動するように制御し、
前記抽出コードは、前記コーヒー粉のパック又はタッグに予め印刷されることを特徴とする、コーヒーメーカー。
【請求項２】
前記給水ユニットは、前記制御ユニットに電気的に接続する伸縮駆動機構を含み、前記制御ユニットは、前記給湯口と前記サーバの間の距離を調整するように前記伸縮駆動機構を制御することを特徴とする、請求項１に記載のコーヒーメーカー。
【請求項３】
前記コーヒーメーカーが熱水提供ユニットをさらに含み、前記熱水提供ユニットは、前記ベースに設置され、前記給水ユニットに連通して、前記給水ユニットに熱水を提供するように設置されることを特徴とする、請求項１に記載のコーヒーメーカー。
【請求項４】
前記予定経路は、前記サーバの前記開口の範囲内に設定されることを特徴とする、請求項１に記載のコーヒーメーカー。
【請求項５】
複数の予定経路を格納するクラウドサーバーと、コーヒーメーカーとを備えるコーヒーメーカーシステムであって、
前記コーヒーメーカーは、ベースと、回転座と、サーバと、給水ユニットと、センサーと、制御ユニットと、送信ユニットとを備え、
前記回転座は前記ベースに設置され、前記回転座の回転は駆動装置に制御され、
前記サーバは開口を含み、コーヒー粉を入れるために前記開口の上方に漏斗状のフィルターが設置され、前記サーバは前記回転座上に設置され、
前記給水ユニットは、前記ベースに設置され、前記給水ユニットは、前記フィルターの上方に設置されて第一予定経路に沿って移動する給湯口を含み、前記第一予定経路は前記サーバの前記開口の範囲内に設定され、
前記センサーは、抽出コードを読み取るために前記ベースに設置され、
前記制御ユニットは、前記ベースに設置され、且つ前記駆動装置、前記センサー、前記給水ユニットに電気的に接続され、前記制御ユニットが前記抽出コードに基づいて、前記駆動装置の回転、前記給水ユニットから熱水を前記給湯口へ提供、且つ前記給湯口を前記第一予定経路に沿って移動するように制御し、
前記送信ユニットは、前記制御ユニットに電気的に接続され、前記制御ユニットは、前記抽出コードに基づいて前記クラウドサーバーの前記複数の予定経路から前記第一予定経路を取得し、
前記抽出コードは、前記コーヒー粉のパック又はタッグに予め印刷されることを特徴とする、コーヒーメーカーシステム。
【請求項６】
前記駆動装置は、前記回転座を第二予定経路に沿って回転するように制御することを特徴とする、請求項５に記載のコーヒーメーカーシステム。
【請求項７】
前記制御ユニットは、前記抽出コードに基づいて前記クラウドサーバーの前記複数の予定経路から前記第二予定経路を取得することを特徴とする、請求項６に記載のコーヒーメーカーシステム。
【請求項８】
前記センサーは、バーコード読み取りユニット、グラフィック読み取りユニット、ＲＦＩＤユニット又はＮＦＣユニットを含むことを特徴とする、請求項５に記載のコーヒーメーカーシステム。
【請求項９】
前記コーヒーメーカーシステムは、ボタンユニットをさらに含み、前記ボタンユニットは、前記ベースに設置され、且つ前記制御ユニットに電気的に接続され、前記ボタンユニットは、操作を受けて、前記駆動装置又は前記給水ユニットの作動を実行又は中止することを特徴とする、請求項５に記載のコーヒーメーカーシステム。
【請求項１０】
前記コーヒーメーカーシステムは、ディスプレイユニットをさらに含み、前記ディスプレイユニットは、前記ベースに設置され、且つ前記制御ユニットに電気的に接続され、前記制御ユニットは、前記抽出コードに基づいて相応のコーヒーの淹れ方情報、製品情報又はその組み合わせを前記ディスプレイユニットに表示することを特徴とする、請求項５に記載のコーヒーメーカーシステム。
【請求項１１】
前記給水ユニットの前記給湯口は、前記第一予定経路に沿って前記開口の範囲内にスイングすることを特徴とする、請求項５に記載のコーヒーメーカーシステム。
【請求項１２】
前記コーヒーメーカーシステムは、ボタンユニットをさらに含み、前記ボタンユニットは、前記ベースに設置され、且つ前記制御ユニットに電気的に接続され、前記ボタンユニットは、操作を受けて、前記駆動装置によって前記回転座の回転速度、又は前記給湯口が前記第一予定経路に沿って移動する速度を制御することを特徴とする、請求項５に記載のコーヒーメーカーシステム。
【考案の詳細な説明】
【技術分野】
【０００１】
本考案は、一種のコーヒーメーカー及びそのシステムに係り、特に手で淹れるコーヒーをシミュレートする一種のコーヒーメーカー及びそのシステムに関する。
【背景技術】
【０００２】
コーヒーの淹れ方又は器具は、人の趣味によって様々な種類がある。例えば、その器具は淹れ方によって、アメリカンコーヒーメーカー、エスプレッソコーヒーメーカー、ダッチコーヒーメーカー、コーヒーサイフォンなどがある。それぞれのコーヒーメーカーは、プレッシャー、温度、操作方法などが異なり、それぞれのテイスト及び香りを有するコーヒーが生まれた。よって、整合型又は専用型のコーヒーメーカーの開発はいずれも大きな利益がある。
【考案の概要】
【考案が解決しようとする課題】
【０００３】
コーヒー豆の美味しさは、手で淹れる方式によって実現することができると共に、特殊な淹れ方によって、機械で淹れる場合と異なるコーヒーを作ることもできる。だが、人の習慣又は判断がそれぞれ違うことで、安定して一定なテイスト及び香りを再現する難度が大幅に上がるため、コーヒー豆の良さを十分に活かしたプロモーションができない。
【０００４】
以上のことにより、本考案の考案者は、弛まない研究開発によって、現在の技術の不足を改善する一種のコーヒーメーカー及びそのシステムを考案し、この考案により産業レベルの進歩を促すことが期待される。
【０００５】
前記従来技術の問題を鑑みて、本考案の目的は、手で淹れるコーヒーをシミュレートすることができる一種のコーヒーメーカー及びそのシステムを提供する。
【課題を解決するための手段】
【０００６】
前記の目的に沿い、本考案は、ベースと、回転座と、サーバと、給水ユニットと、センサーと、制御ユニットとを備えるコーヒーメーカーを提供する。回転座は、ベースに設置され、回転座の回転は駆動装置によって制御される。サーバは開口を有し、開口の上方にコーヒー粉を入れるための漏斗状のフィルターが設置され、サーバは回転座上に設置されることができる。給水ユニットはベースに設置され、給水ユニットの給湯口は、予定経路に沿って移動することができるように、フィルターの上方に設置されることができる。センサーは、抽出コードを取得するためにベースに設置されることができる。制御ユニットはベースに設置され、且つ駆動装置、センサー、給水ユニットに電気的に接続され、制御ユニットが抽出コードに基づいて、駆動装置の回転、給水ユニットから熱水を給湯口へ提供、且つ給湯口を予定経路に沿って移動するように制御することができる。またコーヒー豆に最適な抽出コードはコーヒー粉または豆のパック又はタッグ上に予め印刷されることができる。
【０００７】
より好ましくは、給水ユニットは伸縮駆動機構を含み、且つ制御ユニットに電気的に接続され、制御ユニットは、給湯口とサーバの開口の距離を調整するように伸縮駆動機構を制御する。
【０００８】
より好ましくは、本考案のコーヒーメーカーは、熱水提供ユニットをさらに含み、ベースに設置され、給水ユニットと連通して、給水ユニットに熱水を提供することができる。
【０００９】
より好ましくは、予定経路はサーバの開口の範囲内に設定される。
【００１０】
前記目的に沿い、本考案は、クラウドサーバー及びコーヒーメーカーを含むコーヒーメーカーシステムをさらに提供する。クラウドサーバーは、複数の予定経路を格納することができる。コーヒーメーカーは、ベースと、回転座と、サーバと、給水ユニットと、センサーと、制御ユニットと、送信ユニットとを備えることができる。回転座はベースに設置され、回転座の回転は駆動装置に制御される。サーバは開口を含み、コーヒー粉を入れるためにその開口の上方に漏斗状のフィルターが設置され、サーバは回転座上に設置されることができる。給水ユニットはベースに設置されることができ、給水ユニットは、フィルターの上方に設置されて第一予定経路に沿って移動する給湯口を含むことができ、第一予定経路はサーバの開口の範囲内に設定される。センサーは、抽出コードを読み取るためにベースに設置されることができる。制御ユニットは、ベースに設置され、且つ駆動装置、センサー、給水ユニットに電気的に接続され、制御ユニットがブリューコードに基づいて、駆動装置の回転、給水ユニットからの熱水を給湯口へ提供、且つ給湯口を第一予定経路に沿って移動するように制御する。送信ユニットは、制御ユニットに電気的に接続されることができ、制御ユニットは、抽出コードに基づいてクラウドサーバーの複数の予定経路から第一予定経路を取得する。またコーヒー豆に最適な抽出コードは、コーヒー粉のパック又はタッグに予め印刷されることができる。
【００１１】
より好ましくは、駆動装置は、回転座を第二予定経路に沿って回転するように制御することができる。
【００１２】
より好ましくは、制御ユニットは、抽出コードに基づいてクラウドサーバーの複数の予定経路から第二予定経路を取得する。
【００１３】
より好ましくは、センサーは、バーコード読み取りユニット、グラフィック読み取りユニット、ＲＦＩＤユニット又はＮＦＣユニットを含む。
【００１４】
より好ましくは、前記コーヒーメーカーシステムは、ボタンユニットをさらに含み、ボタンユニットは、ベースに設置され、且つ制御ユニットに電気的に接続され、ボタンユニットは、操作を受けて、駆動装置又は給水ユニットの作動を実行又は中止することができる。
【００１５】
より好ましくは、コーヒーメーカーシステムは、ディスプレイユニットをさらに含み、ディスプレイユニットは、ベースに設置され、且つ制御ユニットに電気的に接続され、制御ユニットは、抽出コードに基づいて相応のコーヒーの淹れ方情報、製品情報又はその組み合わせをディスプレイユニットに表示することができる。
【００１６】
より好ましくは、給水ユニットの給湯口は、第一予定経路に沿って開口の範囲内に移動する。
【００１７】
より好ましくは、コーヒーメーカーシステムは、ボタンユニットをさらに含み、ボタンユニットは、ベースに設置され、且つ制御ユニットに電気的に接続され、ボタンユニットは、操作を受けて、駆動装置によって回転座の回転速度、又は給湯口が第一予定経路に沿って移動する速度を制御することができる。
【００１８】
したがって、本考案のコーヒーメーカー及びそのシステムは、以下の１つまたは複数の利点が得られる。
【００１９】
（１）本考案のコーヒーメーカーは、給水ユニットの給湯口の移動及び駆動装置が制御する回転座の回転により、２次元方向の移動経路を生成し、手による淹れ方の抽出経路をシミュレートする。
【００２０】
（２）本考案のコーヒーメーカーは、特定の抽出コードを取得するようにさらにセンサーを設置することができる。よって、このような抽出コードをコーヒーパック上に予め印刷することができ、そのセンサーで抽出コードを取得することによってこのコーヒーに対応する抽出モードを直接に設定することができる。
【００２１】
（３）本考案のコーヒーメーカーは、クラウドサーバーに接続することでコーヒーメーカーシステムを構成することができるので、クラウドサーバーから抽出モードを随時に更新し、又は抽出コードに基づいてクラウドサーバーから特定のブリュー経路をダウンロードすることができる。
【図面の簡単な説明】
【００２２】
上述した目的、技術特徴及び実施後の有益な効果をより理解しやすくするため、添付図面を参照して、好ましい実施例を以下のように詳しく説明する。
【００２３】
【図１】本考案のコーヒーメーカーの構造概略図である。
【図２】本考案のコーヒーメーカーシステムのブロック図である。
【図３】本考案のコーヒーメーカーシステムの使用状態の概略図である。
【図４】本考案のコーヒーメーカーの抽出経路の概略図である。
【考案を実施するための形態】
【００２４】
以下は添付図面及び説明により、本考案のコーヒーメーカー及びそのシステムを説明し、わかりやすくするため、以下の実施例の同じ要素は同じ符号で表示する。
【００２５】
図１に参照し、図１は本考案のコーヒーメーカーの構造概略図である。図示されたコーヒーメーカーは、ベース１０と、回転座２０と、サーバ６０と、給水ユニット３０と、センサー５０及び制御ユニット４０とを含むことができる。
【００２６】
回転座２０は、ベース１０上に設置され、回転座２０の回転は駆動装置２１によって制御される。サーバ６０は回転座２０上に設置され、サーバ６０は回転座２０を介して、予定の円弧に沿って回転する。
【００２７】
給水ユニット３０は、ベース１０上に設置されることができ、それによって給湯口３１をサーバ６０の開口のフィルター６２の上方に設定される。給水ユニット３０は、枢軸によってベース１０に設置されることができ、その枢軸を軸心にして給湯口３１をスイングすることで、給湯口３１はサーバ６０の開口に限定する範囲内に、予定角度に沿ってベース１０と平行する平面上にスイングすることができる。だが、給湯口３１のサーバ６０の開口の上方の移動方式はスイングに限定されることなく、他の移動方式も応用できる。例えば、サーバ６０の開口が円形である場合、給湯口３１はその円形輪郭の直径方向に沿って移動することもできるが、その限りではない。
【００２８】
使用者がコーヒーを淹れる時、サーバ６０上の漏斗状のフィルター６２にコーヒー粉３０１を入れて、回転座２０及び給水ユニット３０によって異なる方向の二種の予定経路を生成し、給湯口３１の移動経路の２次元経路を生成して、様々な淹れ方をシミュレートする。また、コーヒーの美味しさを維持するために、前記予定経路はサーバ６０の開口の範囲内に設定されるが、抽出モードによって調整することもできる。
【００２９】
本考案のコーヒーメーカーは、制御ユニット４０とセンサー５０を含むことができる。制御ユニット４０は、ベース１０に設置され、且つ駆動装置２１、給水ユニット３０及びセンサー５０に電気的に接続され、センサー５０は、抽出コード３０２を取得するためにベース１０に設置される。このブリューコード３０２は、コーヒー粉３０１のパック上、又はそのパックのタッグ上に予め印刷されることができ、そのコーヒーに適用する淹れ方に対応する。
【００３０】
本考案の実施において、センサー５０は、バーコード読み取りユニット、グラフィック読み取りユニット、ＲＦＩＤユニット又はＮＦＣユニットを含む。コーヒー粉のパック上の抽出コードもそのセンサー５０のタイプによって設置されることができる。よって、使用者がその抽出コード３０２をコーヒーメーカーに読み取らせることで、淹れ方を設定しなくても簡単に手で淹れるコーヒーの美味しさを楽しめる。
【００３１】
本考案の実施において、本考案のコーヒーメーカーは、ボタンユニット７０をさらに含むことができる。ボタンユニット７０は、ベース１０に設置され、制御ユニット４０に電気的に接続される（図２を参照）。ボタンユニット７０は、使用者の操作を受けて、駆動装置２１又は給水ユニット３０の作動を実行又は中止することができる。ボタンユニット７０は、駆動装置２１も操作することができ、駆動装置２１を介して上の回転座２０の回転速度を制御し、又は給湯口３１が予定経路に沿って移動する速度又はスイング速度を制御することができる。これによって、コーヒーメーカーの操作を全自動から半自動に変更する。
【００３２】
本考案の実施において、本考案のコーヒーメーカーは、ディスプレイユニット８０をさらに含むことができる。ディスプレイユニット８０は、ベース１０に設置され、制御ユニット４０に電気的に接続される。制御ユニット４０は、抽出コードの情報に基づいて、相応の淹れ方情報、コーヒーの製品情報又はその組み合わせをディスプレイユニット８０に表示することができる。前記ブリューコードの情報はそのまま抽出コードにコーディングされ、ディスプレイユニット８０を介して表示され、又は制御ユニット４０が抽出コードに基づいて、コーヒーメーカーに設置された記憶装置から相応のデータを読み取ってディスプレイユニット８０を介して表示することができる。
【００３３】
本考案の実施において、本考案のコーヒーメーカーは熱水提供ユニット３５をさらに含むことができる。熱水提供ユニット３５は、ベース１０に設置され、給水ユニット３０に連通して、給水ユニット３０に熱水を提供するように設置されることができる。
【００３４】
本考案の実施において、本考案のコーヒーメーカーは、記憶装置を含むことができる。記憶装置は、コーヒーメーカーが作動する時に記憶装置からデータを直接読み取るように、前記予定の円弧、予定角度、予定経路の資料を格納することができる。
【００３５】
図２を参照して、図２は本考案のコーヒーメーカーシステムのブロック図である。図示されたコーヒーメーカーシステムは、クラウドサーバー２００と、図１に示されたようなコーヒーメーカー１００を含む。クラウドサーバー２００は、複数の予定経路２０１を格納することができる。コーヒーメーカー１００において、図１に示されたコーヒーメーカーと同じような部品の説明は省略する。
【００３６】
コーヒーメーカー１００は、クラウドサーバー２００から装置本体の抽出モードを随時に更新するように、制御ユニット４０に電気的に接続される送信ユニット９０を含むことができる。例えば、クラウドサーバー２００から前記予定の円弧、予定角度、予定経路などの特定の予定経路２０１を取得する。例えば、給水ユニット３０の給湯口３１に設定された第一予定経路（例えば、図３に示される経路Ｄ２）、及び回転座２０を制御する駆動装置２１に設定された第二予定経路（例えば、図３に示される経路Ｄ３）である。
【００３７】
本考案の実施において、図１の実施態様に示されるように、第一予定経路はサーバ６０の開口の範囲内に設定され、給湯口３１は第一予定経路に沿って、サーバの開口の範囲内にスイングすることができる。また、特定の抽出モードによって調整することができる。
【００３８】
図３を参照して、図３は本考案のコーヒーメーカーシステムの使用状態の概略図である。図面に示されるように、センサー５０がコーヒーパック３００の抽出コード３０２を読み取った時、コーヒーメーカー１００の送信ユニット９０はクラウドサーバー２００から抽出コード３０２に相応の抽出モードをダウンロードすることができる。制御ユニット４０（図２に参照）は、抽出コード３０２に基づいて、駆動装置２１の回転、給水ユニット３０から熱水を給湯口３１へ提供、且つ給湯口３１を予定経路に沿って移動することを制御することができる。
【００３９】
よって、業者はプロの淹れ方を経路によって記録してクラウドサーバー２００に格納し、このコーヒーメーカーシステムによって、使用者は手で淹れるコーヒーの風味を簡単に再現することができる。
【００４０】
本考案の実施において、給水ユニット３０は制御ユニット４０に電気的に接続される伸縮駆動機構３２を含むことができる。伸縮駆動機構３２は、給湯口３１とサーバ６０の開口との距離を調整することができる。よって、制御ユニット４０は、給湯口３１の高さを予定時刻で経路Ｄ１のある一点に設定し、経路Ｄ２、Ｄ３の作動とともに、３次元の抽出経路を構成するように伸縮駆動機構３２を制御することができる。
【００４１】
図４を参照して、図４は本考案のコーヒーメーカーの抽出経路の概略図である。この概略図は、フィルター６２に沿う平面図である。図面に示された移動経路Ａ、Ｂは、給湯口３１（図３を参照）及び回転座２０の移動による組み合わせが予定時間内に生成する予定経路である。
【００４２】
これによって、本考案のコーヒーメーカーは様々な抽出経路をシミュレートすることができる。例えば、経路Ａは、外側から内側に移動する螺旋状の経路であり、経路Ｂは、外側から間接的に内側に円を描く経路であり、完全な円形の経路を完成した後に、内側に向かって次の円を進行する。但し、本考案の実施はこれに限定されない。
【００４３】
本考案のコーヒーメーカーの設置は、２次元又は３次元の抽出経路をシミュレートすることができ、使用者は手で淹れるコーヒーの美味しさを簡単に再現することができる。また、コーヒーメーカー上のセンサー及びクラウドサーバーとの接続によって、使用者が細かくパラメーターを設定する必要はなく、操作が便利になると同時に、コーヒー豆提供業者の方も簡単に抽出モードを更新することができ、新しい方法も直接に応用することができる。
【００４４】
上記説明は本考案の範囲を限定するためのものではなく、例示的な実施例である。本考案の範囲及び趣旨を逸脱することなく均等範囲内における変更及び修正は、いずれも添付の実用新案登録請求の範囲で扱うものとする。
【符号の説明】
【００４５】
１０：ベース
２０：回転座
２１：駆動装置
３０：給水ユニット
３１：給湯口
３２：伸縮駆動機構
３５：熱水提供ユニット
４０：制御ユニット
５０：センサー
６０：サーバ
６２：フィルター
７０：ボタンユニット
８０：ディスプレイユニット
９０：送信ユニット
１００：コーヒーメーカー
２００：クラウドサーバー
３００：コーヒーパック
３０１：コーヒー粉
３０２：抽出コード
２０１、Ｄ１〜Ｄ３：予定経路
Ａ、Ｂ：移動経路
【図１】
0003214593.tif 000003
【図２】
0003214593.tif 000004
【図３】
0003214593.tif 000005
【図４】
0003214593.tif 000006